(57)【要約】【課題】本開示は、小型でありながら、諸収差の発生を抑えることができる広角レンズ系を提供する。【解決手段】本開示の広角レンズ系は、物体側から像面側に向かって、負のパワーを有する第１レンズ素子と、正のパワーを有する第２レンズ素子と、開口絞りと、正のパワーを有する第３レンズ素子と、からなり、条件：−０．０５  ≦  （ｒ６＋ｒ７）／（ｒ７−ｒ６）  ＜  ０．５０を満たす（ここで、ｒ６：第３レンズ素子の物体側面の曲率半径、ｒ７：第３レンズ素子の像側面の曲率半径、（ｒ６＋ｒ７）／（ｒ７−ｒ６）：第３のレンズ素子の形状ファクター、である）。【選択図】図１
2015132759.tif 000002
【特許請求の範囲】
【請求項１】
物体側から像面側に向かって、負のパワーを有する第１レンズ素子と、正のパワーを有する第２レンズ素子と、開口絞りと、正のパワーを有する第３レンズ素子と、からなり、
以下の条件を満たす広角レンズ系：
−０．０５  ≦  （ｒ６＋ｒ７）／（ｒ７−ｒ６）  ＜  ０．５０
ここで、
ｒ６：第３レンズ素子の物体側面の曲率半径
ｒ７：第３レンズ素子の像側面の曲率半径
（ｒ６＋ｒ７）／（ｒ７−ｒ６）：第３のレンズ素子の形状ファクター、
である、
広角レンズ系。
【請求項２】
前記第２レンズ素子は、像面側の面が凸面であり、
前記第３レンズ素子は、物体側の面が凸面である、
請求項１に記載の広角レンズ系。
【発明の詳細な説明】
【技術分野】
【０００１】
本開示は、広角レンズ系、及び、広角レンズ系を有するカメラに関する。
【背景技術】
【０００２】
特許文献１は、小型で軽量な広角レンズ系を開示している。特許文献１の広角レンズ系は、３枚のレンズ素子で構成された光学系を開示している。
【先行技術文献】
【特許文献】
【０００３】
【特許文献１】特開２００１−３３７２６８号公報
【発明の概要】
【発明が解決しようとする課題】
【０００４】
本開示は、広角化したレンズ系において、小型でありながら、諸収差の発生を抑えることができる広角レンズ系、カメラを提供する。
【課題を解決するための手段】
【０００５】
本開示の広角レンズ系は、
物体側から像面側に向かって、負のパワーを有する第１レンズ素子と、正のパワーを有する第２レンズ素子と、開口絞りと、正のパワーを有する第３レンズ素子と、からなり、
以下の条件を満たす広角レンズ系：
−０．０５  ≦  （ｒ６＋ｒ７）／（ｒ７−ｒ６）  ＜  ０．５０
ここで、
ｒ６：第３レンズ素子の物体側面の曲率半径
ｒ７：第３レンズ素子の像側面の曲率半径
（ｒ６＋ｒ７）／（ｒ７−ｒ６）：第３のレンズ素子の形状ファクター、
である。
【発明の効果】
【０００６】
本開示における広角レンズ系は、小型でありながら、諸収差の発生を抑えることができる。
【図面の簡単な説明】
【０００７】
【図１】実施の形態１（数値実施例１）に係る広角レンズ系のレンズ配置図
【図２】数値実施例１に係る無限遠合焦状態の縦収差図
【図３】実施の形態２（数値実施例２）に係る広角レンズ系のレンズ配置図
【図４】数値実施例２に係る無限遠合焦状態の縦収差図
【図５】実施の形態３（数値実施例３）に係る広角レンズ系のレンズ配置図
【図６】数値実施例３に係る無限遠合焦状態の縦収差図
【図７】実施の形態４（数値実施例４）に係る広角レンズ系のレンズ配置図
【図８】数値実施例４に係る無限遠合焦状態の縦収差図
【図９】実施の形態５（数値実施例５）に係る広角レンズ系のレンズ配置図
【図１０】数値実施例５に係る無限遠合焦状態の縦収差図
【図１１】実施の形態１を適用したカメラの概略構成図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
図１、３、５、７、９は、各々実施の形態１〜５に係るレンズ系のレンズ配置図であり、いずれも無限遠合焦状態を表している。各図において、特定の面に付されたアスタリスク＊は、該面が非球面であることを示している。また各図において、最も右側に記載された直線は、像面Ｓの位置を表す。また、各図において、像面Ｓの物体側には、平行平板ＣＧが設けられていることを示している。
（実施の形態１）
図１は、実施の形態１に係る単焦点の広角レンズ系を表している。
広角レンズ系は、物体側から像面側へと順に、第１レンズ素子Ｌ１、第２レンズ素子Ｌ２、開口絞りＡ、第３レンズ素子Ｌ３、で構成される。
【００１１】
第１レンズ素子Ｌ１は、負のパワーを有する樹脂レンズであり、物体側に凸面を向けたメニスカスレンズである。第１レンズ素子Ｌ１は、像面側の面が非球面である。
【００１２】
第２レンズ素子Ｌ２は、正のパワーを有する樹脂レンズであり、両凸レンズである。第２レンズ素子Ｌ２は、物体側及び像面側の両面が非球面である。
【００１３】
第３レンズ素子Ｌ３は、正のパワーを有する樹脂レンズであり、両凸レンズである。第３レンズ素子Ｌ３は、物体側及び像面側の両面が非球面である。
（実施の形態２）
図３は、実施の形態２に係る単焦点の広角レンズ系を表している。
広角レンズ系は、物体側から像面側へと順に、第１レンズ素子Ｌ１、第２レンズ素子Ｌ２、開口絞りＡ、第３レンズ素子Ｌ３、で構成される。
【００１４】
第１レンズ素子Ｌ１は、負のパワーを有する樹脂レンズであり、物体側に凸面を向けたメニスカスレンズである。第１レンズ素子Ｌ１は、像面側の面が非球面である。
【００１５】
第２レンズ素子Ｌ２は、正のパワーを有する樹脂レンズであり、両凸レンズである。第２レンズ素子Ｌ２は、物体側及び像面側の両面が非球面である。
【００１６】
第３レンズ素子Ｌ３は、正のパワーを有する樹脂レンズであり、両凸レンズである。第３レンズ素子Ｌ３は、物体側及び像面側の両面が非球面である。
（実施の形態３）
図５は、実施の形態３に係る単焦点の広角レンズ系を表している。
広角レンズ系は、物体側から像面側へと順に、第１レンズ素子Ｌ１、第２レンズ素子Ｌ２、開口絞りＡ、第３レンズ素子Ｌ３、で構成される。
【００１７】
第１レンズ素子Ｌ１は、負のパワーを有する樹脂レンズであり、物体側に凸面を向けたメニスカスレンズである。第１レンズ素子Ｌ１は、像面側の面が非球面である。
【００１８】
第２レンズ素子Ｌ２は、正のパワーを有する樹脂レンズであり、両凸レンズである。第２レンズ素子Ｌ２は、物体側及び像面側の両面が非球面である。
【００１９】
第３レンズ素子Ｌ３は、正のパワーを有する樹脂レンズであり、両凸レンズである。第３レンズ素子Ｌ３は、物体側及び像面側の両面が非球面である。
（実施の形態４）
図７は、実施の形態４に係る単焦点の広角レンズ系を表している。
広角レンズ系は、物体側から像面側へと順に、第１レンズ素子Ｌ１、第２レンズ素子Ｌ２、開口絞りＡ、第３レンズ素子Ｌ３、で構成される。
【００２０】
第１レンズ素子Ｌ１は、負のパワーを有する樹脂レンズであり、物体側に凸面を向けたメニスカスレンズである。第１レンズ素子Ｌ１は、像面側の面が非球面である。
【００２１】
第２レンズ素子Ｌ２は、正のパワーを有する樹脂レンズであり、両凸レンズである。第２レンズ素子Ｌ２は、物体側及び像面側の両面が非球面である。
【００２２】
第３レンズ素子Ｌ３は、正のパワーを有する樹脂レンズであり、両凸レンズである。第３レンズ素子Ｌ３は、物体側及び像面側の両面が非球面である。
（実施の形態５）
図９は、実施の形態５に係る単焦点の広角レンズ系を表している。
広角レンズ系は、物体側から像面側へと順に、第１レンズ素子Ｌ１、第２レンズ素子Ｌ２、開口絞りＡ、第３レンズ素子Ｌ３、で構成される。
【００２３】
第１レンズ素子Ｌ１は、負のパワーを有する樹脂レンズであり、物体側に凸面を向けたメニスカスレンズである。第１レンズ素子Ｌ１は、像面側の面が非球面である。
【００２４】
第２レンズ素子Ｌ２は、正のパワーを有する樹脂レンズであり、両凸レンズである。第２レンズ素子Ｌ２は、物体側及び像面側の両面が非球面である。
【００２５】
第３レンズ素子Ｌ３は、正のパワーを有する樹脂レンズであり、両凸レンズである。第３レンズ素子Ｌ３は、物体側及び像面側の両面が非球面である。
（実施の形態を適用したカメラの例）
実施の形態１を適用したカメラの例を説明する。なお、実施の形態１に替えて実施の形態２〜５の何れかを適用しても良い。
【００２６】
カメラは、図１１を用いて説明を行う。図１１は、実施の形態１を適用したカメラ１００の概略構成を示す。
【００２７】
カメラ１００は、広角レンズ系で集光された光を撮像し、撮像した画像を通信モジュール４００を介して他の表示装置に転送可能である。
【００２８】
カメラ１００は、広角レンズ系２０１と、撮像素子２０２と、ＣＰＵ３００と、通信モジュール４００と、を備える。撮像素子２０２は、広角レンズ系２０１によって形成される光学像を受光して、電気的な画像信号に変換する。ＣＰＵ３００は、画像信号を取得して、画像信号に画像処理を施す。通信モジュール４００は、画像処理が施された画像信号を他の装置に転送する。
【００２９】
なお、以上説明した実施の形態１に係る広角レンズ系をカメラ１００に適用した例を示したが、監視カメラ、車載カメラ、Ｗｅｂカメラ等に適用することもできる。
【００３０】
（条件及び効果）
以下、例えば実施の形態１から５に係る広角レンズ系が満足することが可能な条件を説明する。なお、実施の形態１から５に係る広角レンズ系に対して、複数の可能な条件が規定されるが、これら複数の条件すべてを満足する広角レンズ系の構成が最も効果的である。しかしながら、個別の条件を満足することにより、それぞれ対応する効果を奏する広角レンズ系を得ることも可能である。
広角レンズ系は、物体側から像面側に向かって、負のパワーを有する第１レンズ素子と、正のパワーを有する第２レンズ素子と、開口絞りと、正のパワーを有する第３レンズ素子と、からなり、
以下の条件を満たす広角レンズ系：
−０．０５  ≦  （ｒ６＋ｒ７）／（ｒ７−ｒ６）  ＜  ０．５０
ここで、
ｒ６：第３レンズ素子の物体側面の曲率半径
ｒ７：第３レンズ素子の像側面の曲率半径
（ｒ６＋ｒ７）／（ｒ７−ｒ６）：第３のレンズ素子の形状ファクター、
である。
【００３１】
この構成によれば、球面収差とコマ収差等の諸収差の発生を低減することができる。
もっとも物体側に構成される第１レンズ素子を像側に凹面を向けた負のパワーを有するレンズ素子とすることで、レンズ系全体を広角化すると同時に像面湾曲を良好に補正することができる。また、第１レンズ素子の像側の面を非球面とすることで、より容易に像面湾曲を補正することが可能となる。
このとき、第１レンズ素子の像側の面の曲率半径は以下の式を満足することが望ましい。
【００３２】
ｒ２／ｆ０＜１．０
ここで、
ｒ２：第１レンズ素子の像側面の曲率半径
ｆ０：全系のｄ線における焦点距離
である。
上記条件式を満足することにより、像面湾曲が良好に補正された広角レンズ系を実現できる。
第２レンズ素子を正のパワーを有するレンズ素子とすることで、像面湾曲と倍率色収差をバランスよく補正することができる。第２レンズ素子の物体側の面は、光軸近傍が正のパワーを有し、周辺部に近づくに従い、正のパワーが弱まるような非球面形状とすることが望ましい。上記のような形状とすることにより、像面湾曲を良好に補正することができる。第２レンズ素子の像側の面は像側に凸面を向けた形状であることが望ましい。上記のような形状とすることにより、第２レンズ通過後の光束を光軸から離れる方向へ大きく屈折させることができ、撮像素子への入射角を容易に小さくすることができる。
また、第２レンズ素子のアッベ数は以下の条件式を満たすことが望ましい。
【００３３】
ν２＜３０
ここで
ν２：第２レンズ素子のアッベ数
である。
上記条件式を満足することで、倍率色収差が良好に補正された広角レンズ系を実現できる。
【００３４】
開口絞りは第２レンズ素子と第３レンズ素子との間に構成することが望ましい。上記のような構成をとることにより、レンズ素子を小径化しつつ撮像素子への入射角を容易に小さくすることができる。
開口絞りより像側に構成される第３レンズ素子を正のパワーを有するレンズ素子とすることで、撮像素子への入射角を容易に小さくすることができる。第３レンズ素子は両凸形状であることが望ましい。上記のような形状とすることで、同じく両凸形状である第２レンズ素子と第３レンズ素子を絞りの前後に対象に配置することができ、コマ収差、ディストーション等の諸収差を良好に補正することができる。
このとき、第３レンズ素子は以下の条件式を満足することが望ましい。
【００３５】
−０．０５  ≦  （ｒ６＋ｒ７）／（ｒ７−ｒ６）  ＜  ０．５０
ここで、
ｒ６：第３レンズ素子の物体側面の曲率半径
ｒ７：第３レンズ素子の像側面の曲率半径
（ｒ６＋ｒ７）／（ｒ７−ｒ６）：第３のレンズ素子の形状ファクター、
である。
上記、条件式を満足することにより、撮像素子への入射角を小さく保ちつつ、球面収差、コマ収差がともに良好に補正された広角レンズ系を実現できる。
なお、広角レンズ系は以下の式を満足することが望ましい。
【００３６】
Ｔ／ｆ０≦８．０
ここで、
Ｔ：第１レンズ素子の物体側面から像面までの光軸上の距離
ｆ０：全系のｄ線における焦点距離
である。
上記条件式を満足することにより、広角でありつつ充分小型なレンズ系を提供することが可能となる。
また、広角レンズ系は、全てのレンズ素子を樹脂レンズで構成することにより、ガラスレンズで構成するよりも安価なレンズ系とすることができる。
【００３７】
（数値実施例）
以下、実施の形態１〜５に係る広角レンズ系の数値実施例を説明する。なお、数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数、である。また、数値実施例１において、＊印を付した面は非球面であり、非球面形状は次式で定義している。
【００３８】
【数１】
2015132759.tif 000003
【００３９】
ここで、Ｚは光軸からの高さがｈの非球面上の点から非球面頂点の接平面までの距離、ｈは光軸からの高さ、ｒは非球面頂点の曲率半径、κは円錐定数、Ａｎはｎ次の非球面係数である。
【００４０】
図２、図４、図６、図８、図１０は、数値実施例１から５に係る広角レンズ系の無限遠合焦状態における縦収差図である。
【００４１】
各縦収差図は、球面収差（ＳＡ（ｍｍ））、非点収差（ＡＳＴ（ｍｍ））、歪曲収差（ＤＩＳ（％））を示す。
【００４２】
球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。
【００４３】
非点収差図において、縦軸は像高を表し、実線はサジタル平面（図中、ｓで示す）、破線はメリディオナル平面（図中、ｍで示す）の特性である。なお、ｗは半画角を示す。
【００４４】
歪曲収差図において、縦軸は像高を表し、ｗは半画角を示す。ディストーションの実線は、Ｙ＝２・ｆ・ｔａｎ（ω／２）を理想像高とした場合の収差を示している（Ｙは像高、ｆは全系の焦点距離）。
【００４５】
（数値実施例１）
（表１）
面データ
面番号         r           d           nd         vd                
物面             ∞                                               
1         20.95880     0.76440     1.53360    56.2               
2*         0.82650     1.58570                                   
3*         2.49720     1.55580     1.63450    23.9               
4*        -4.94990     0.00000                                   
5(絞り)           ∞     0.34820                                   
6*         2.47530     0.65060     1.53360    56.2               
7*        -2.47530     1.24400                                   
8               ∞     0.70000     1.51680    64.1               
9               ∞     0.10000                                   
10               ∞      BF                                       
像面             ∞                                               
非球面データ
第2面
K=-8.74569E-01, A4= 1.53972E-01, A6=-1.27239E-01, A8= 9.29675E-02 
A10= 3.07332E-02, A12=-2.47064E-02 
第3面
K=-2.80324E+00, A4=-1.48172E-02, A6=-1.12712E-04, A8=-7.56524E-02 
A10= 2.23756E-02, A12= 7.30136E-03 
第4面
K= 6.29773E+00, A4=-4.57590E-02, A6=-3.07467E-01, A8= 1.02410E+00 
A10=-8.35722E-01, A12= 6.30271E-01 
第6面
K=-6.98039E+00, A4= 3.12282E-02, A6=-6.03362E-02, A8=-1.16184E-02 
A10=-1.13580E-02, A12= 8.72287E-02 
第7面
K=-1.32320E+01, A4= 2.69359E-02, A6= 2.44973E-02, A8=-1.44713E-02 
A10=-6.34087E-02, A12= 6.20988E-02 
各種データ
焦点距離       1.0359
Ｆナンバー     2.39144
画角        90.0000
像高         1.7757
レンズ全長      6.9729
ＢＦ        0.02418
入射瞳位置      1.5605
射出瞳位置     -2.7732
前側主点位置    2.2128
後側主点位置    5.9370
単レンズデータ
レンズ     始面     焦点距離
1         1       -1.6341
2         3        2.8468
3         6        2.4306
（数値実施例２）
（表２）
面データ
面番号         r           d           nd         vd                
物面             ∞                                               
1         21.07620     0.76480     1.53360    56.2               
2*         0.83330     1.56960                                   
3*         2.52550     1.50900     1.63450    23.9               
4*        -5.16710     0.00000                                   
5(絞り)           ∞     0.35220                                   
6*         2.52940     0.65500     1.53360    56.2               
7*        -2.28850     1.24680                                   
8               ∞     0.70000     1.51680    64.1               
9               ∞     0.10000                                   
10               ∞      BF                                       
像面             ∞                                               
非球面データ
第2面
K=-8.72895E-01, A4= 1.54890E-01, A6=-1.27327E-01, A8= 9.28548E-02 
A10= 3.06932E-02, A12=-2.47057E-02 
第3面
K=-2.80714E+00, A4=-1.48900E-02, A6=-1.72000E-04, A8=-7.57044E-02 
A10= 2.24166E-02, A12= 7.53621E-03 
第4面
K= 7.07037E+00, A4=-4.64889E-02, A6=-3.09710E-01, A8= 1.01965E+00 
A10=-8.38082E-01, A12= 7.03233E-01 
第6面
K=-6.75370E+00, A4= 3.24662E-02, A6=-5.87290E-02, A8=-1.01206E-02 
A10=-8.70030E-03, A12= 9.38316E-02 
第7面
K=-1.29626E+01, A4= 2.59199E-02, A6= 2.39997E-02, A8=-1.30838E-02 
A10=-6.06677E-02, A12= 6.50167E-02 
各種データ
焦点距離       1.0342
Ｆナンバー     2.38276
画角        90.0000
像高         1.7717
レンズ全長      6.9163
ＢＦ        0.01893
入射瞳位置      1.5566
射出瞳位置     -2.8032
前側主点位置    2.2118
後側主点位置    5.8821
単レンズデータ
レンズ     始面     焦点距離
1         1       -1.6476
2         3        2.8939
3         6        2.3634
（数値実施例３）
（表３）
面データ
面番号         r           d           nd         vd                
物面             ∞                                               
1         19.95200     0.71010     1.53360    56.2               
2*         0.82220     1.61180                                   
3*         2.48300     1.63110     1.63450    23.9               
4*        -4.84010     0.00000                                   
5(絞り)           ∞     0.34170                                   
6*         2.32030     0.67080     1.53360    56.2               
7*        -2.83590     1.23460                                   
8               ∞     0.70000     1.51680    64.1               
9               ∞     0.10000                                   
10               ∞      BF                                       
像面             ∞                                               
非球面データ
第2面
K=-8.80627E-01, A4= 1.56103E-01, A6=-1.30051E-01, A8= 9.31497E-02 
A10= 3.13539E-02, A12=-2.47397E-02 
第3面
K=-3.44877E+00, A4=-1.59407E-02, A6= 6.77804E-03, A8=-7.85183E-02 
A10= 2.17025E-02, A12= 7.32577E-03 
第4面
K= 7.79627E+00, A4=-4.68782E-02, A6=-3.31649E-01, A8= 1.02529E+00 
A10=-7.91668E-01, A12= 1.07052E+00 
第6面
K=-7.01517E+00, A4= 3.15799E-02, A6=-6.49176E-02, A8=-1.30769E-02 
A10=-1.83782E-02, A12= 7.05319E-02 
第7面
K=-1.29361E+01, A4= 3.03213E-02, A6= 2.72262E-02, A8=-1.79661E-02 
A10=-7.02702E-02, A12= 5.75914E-02 
各種データ
焦点距離       1.0401
Ｆナンバー     2.41999
画角        90.0000
像高         1.7788
レンズ全長      7.0281
ＢＦ        0.02799
入射瞳位置      1.5360
射出瞳位置     -2.7493
前側主点位置    2.1865
後側主点位置    5.9880
単レンズデータ
レンズ     始面     焦点距離
1         1       -1.6281
2         3        2.8313
3         6        2.5050
（数値実施例４）
（表４）
面データ
面番号         r           d           nd         vd                
物面             ∞                                               
1         19.79510     0.72830     1.53360    56.2               
2*         0.82650     1.60600                                   
3*         2.49550     1.63210     1.63450    23.9               
4*        -4.82430     0.00000                                   
5(絞り)           ∞     0.36590                                   
6*         2.03390     0.66880     1.53360    56.2               
7*        -3.38980     1.19390                                   
8               ∞     0.70000     1.51680    64.1               
9               ∞     0.10000                                   
10               ∞      BF                                       
像面             ∞                                               
非球面データ
第2面
K=-8.80629E-01, A4= 1.55804E-01, A6=-1.30051E-01, A8= 9.30523E-02 
A10= 3.13112E-02, A12=-2.47580E-02 
第3面
K=-3.43981E+00, A4=-1.59118E-02, A6= 6.70844E-03, A8=-7.86922E-02 
A10= 2.15803E-02, A12= 7.32582E-03 
第4面
K= 7.81574E+00, A4=-4.69488E-02, A6=-3.30444E-01, A8= 1.03096E+00 
A10=-7.70966E-01, A12= 1.14621E+00 
第6面
K=-4.96374E+00, A4= 5.02936E-02, A6=-4.62257E-02, A8=-9.41038E-03 
A10=-2.48550E-02, A12= 7.44900E-02 
第7面
K=-2.19713E+01, A4= 5.11032E-02, A6= 4.67958E-02, A8=-2.13020E-02 
A10=-7.57685E-02, A12= 6.37190E-02 
各種データ
焦点距離       1.0389
Ｆナンバー     2.42746
画角        90.0000
像高         1.7787
レンズ全長      7.0222
ＢＦ        0.02716
入射瞳位置      1.5522
射出瞳位置     -2.7245
前側主点位置    2.1989
後側主点位置    5.9833
単レンズデータ
レンズ     始面     焦点距離
1         1       -1.6383
2         3        2.8378
3         6        2.4891
（数値実施例５）
（表５）
面データ
面番号         r           d           nd         vd                
物面             ∞                                               
1         22.71390     1.00000     1.53360    56.2               
2*         0.76560     1.56000                                   
3*         2.04950     1.54000     1.63450    23.9               
4*        -5.61010     0.00000                                   
5(絞り)           ∞     0.30000                                   
6*         2.28680     0.65000     1.53360    56.2               
7*        -2.69620     1.12490                                   
8               ∞     0.70000     1.51680    64.1               
9               ∞     0.10000                                   
10               ∞      BF                                       
像面             ∞                                               
非球面データ
第2面
K=-8.87920E-01, A4= 1.43127E-01, A6=-1.18083E-01, A8= 8.03871E-02 
A10= 2.86814E-02, A12=-2.00717E-02, A14= 2.80801E-03, A16=-3.12858E-03 
第3面
K=-2.47801E+00, A4=-1.78473E-02, A6=-1.53167E-02, A8=-6.63249E-02 
A10= 3.08174E-02, A12=-1.99104E-03, A14=-1.26981E-02, A16= 9.73119E-03 
第4面
K= 2.97560E+01, A4=-7.28358E-02, A6=-2.98242E-01, A8= 1.22343E+00 
A10=-3.72764E-01, A12=-9.30349E-01, A14= 0.00000E+00, A16= 0.00000E+00 
第6面
K=-8.21149E+00, A4= 2.23446E-02, A6=-8.73810E-02, A8=-2.91029E-02 
A10=-2.25228E-03, A12= 4.90494E-02, A14= 0.00000E+00, A16= 0.00000E+00 
第7面
K=-1.48202E+01, A4= 3.06831E-02, A6= 2.18246E-02, A8=-3.11828E-02 
A10=-8.00355E-02, A12= 6.64606E-02, A14= 0.00000E+00, A16= 0.00000E+00 
各種データ
焦点距離       1.0001
Ｆナンバー     2.46217
画角        90.0000
像高         1.7815
レンズ全長      7.0049
ＢＦ        0.02997
入射瞳位置      1.6742
射出瞳位置     -2.5622
前側主点位置    2.2885
後側主点位置    6.0047
単レンズデータ
レンズ     始面     焦点距離
1         1       -1.5087
2         3        2.5661
3         6        2.4291
以下の表に、各数値実施例の対応値を示す。
（条件の対応値）
2015132759.tif 000004
【産業上の利用可能性】
【００４６】
本開示に係る広角レンズ系は、カメラ、車載カメラ、監視カメラ、ＷＥＢカメラ等に適用可能である。
【符号の説明】
【００４７】
Ｌ１  第１レンズ素子
Ｌ２  第２レンズ素子
Ｌ３  第３レンズ素子
ＣＧ  平行平板
Ａ  開口絞り
Ｓ  像面
【図１】
2015132759.tif 000005
【図２】
2015132759.tif 000006
【図３】
2015132759.tif 000007
【図４】
2015132759.tif 000008
【図５】
2015132759.tif 000009
【図６】
2015132759.tif 000010
【図７】
2015132759.tif 000011
【図８】
2015132759.tif 000012
【図９】
2015132759.tif 000013
【図１０】
2015132759.tif 000014
【図１１】
2015132759.tif 000015